(57)【特許請求の範囲】
【請求項１】
書籍の背を準備する方法であって、
複数の折丁を背を有する書籍を形成するために背止めに向かってポケット内へ供給することと、
前記折丁を順次前記背に対して垂直に搬送して、背止めに当接させて集積して書籍を形成することと、
前記書籍をパッカーに接触させることと、
前記パッカーを前記書籍から放すことと、
前記背止めを背の露出部を定めるために前記パッカーに対して下げることとを有する方法。
【請求項２】
前記背止めを下げた後に前記パッカーを前記背の露出部を維持するために前記書籍に再度接触させる、請求項１に記載の方法。
【請求項３】
前記パッカーの前記書籍への再接触の後に前記背止めを前記背から離し、前記パッカーを前記書籍の下端をピボット運動させるためにピボット運動させる、請求項２に記載の方法。
【請求項４】
前記背を処理することをさらに有する、請求項１に記載の方法。
【請求項５】
前記処理は切断することを含む、請求項４に記載の方法。
【請求項６】
前記処理のステップ後、前記書籍の背をホームポジションに戻す、請求項４に記載の方法。
【請求項７】
入ってくる折丁を前記書籍から離して保持することをさらに有している、請求項１に記載の方法。
【請求項８】
前記入ってくる折丁を背に平行な横方向に揃えることをさらに有する、請求項７に記載の方法。
【請求項９】
少なくとも１つの第１の折丁を、書籍を形成するように所定の向きのトレイと背止めに当接させて置くようにポケット内に入れるステップと、
少なくとも１つの第２の折丁を、上部で前記第１の折丁から離し、前記背止めのところで前記第１の折丁に接触させた状態に保って前記ポケット内に入れるステップとを有する、請求項１に記載の方法。
【請求項１０】
前記折丁を前記背に対して垂直に搬送することをさらに有する、請求項９に記載の方法。
【請求項１１】
少なくとも１つの前記第１の折丁を、少なくとも１つの前記第１の折丁を離して保持している間に横方向に揃えることをさらに有する、請求項９に記載の方法。
【請求項１２】
書籍の背を準備する装置であって、所定の向きの背部と、パッカーと、背止めとを各々が有する複数の可動なポケットを有し、前記背止めは、該背止めが前記背部に対して垂直に保持された第１の集積位置と、前記背止めが前記集積位置におけるよりも前記パッカーに対して下方にあるが、前記背部に対して垂直に保持されている第２の位置と、前記背止めが該背止めの平面に平行な軸を中心に回転して前記背から離れる第３の位置とを有する装置。
【請求項１３】
前記第２の位置における前記背の平面が前記第１の位置における前記背の平面と平行である、請求項１２に記載の装置。
【請求項１４】
前記各ポケットは前記背部の下方にクランプを有し、前記パッカーは印刷物の下部を前記クランプに当接させて保持する、請求項１２に記載の装置。
【請求項１５】
掛け金が前記ポケットをホームポジションに保持する、請求項１２に記載の装置。
【請求項１６】
前記各ポケットは、束ねる動作を行わせるためのパッカー作動レバーをさらに有している、請求項１２に記載の装置。
【請求項１７】
前記各ポケットは、前記背部の高さを設定するトレイ高さローラをさらに有している、請求項１２に記載の装置。
【請求項１８】
前記各ポケットは、入ってくる折丁を既に集積された折丁から離しておくための、少なくとも１つの格納可能なシャッターブレードをさらに有している、請求項１２に記載の装置。
【請求項１９】
前記ポケットは、入ってくる折丁を前記背に対して垂直に搬送する搬送手段をさらに有する、請求項１２に記載の装置。
【請求項２０】
入ってくる折丁を背に平行な横方向に揃える揃えジョガーをさらに有する、請求項１２に記載の装置。
【請求項２１】
前記ポケットが、所定の向きの背部と、背止めと、入ってくる折丁の上端部を所定の向きの前記背部に置かれている折丁から離して保持する少なくとも１つのシャッターブレードと、入ってくる前記折丁を横方向に揃える揃えジョガーとを有する、請求項１２記載の装置。
【発明の詳細な説明】
【０００１】
【発明の属する技術分野】
本発明は、概して製本に関し、特に、印刷物、すなわち書籍の背を製本用に準備する装置および方法に関するものである。
【０００２】
【従来の技術】
（本明細書では、あらゆる枚用紙と折丁を集めたものを含むものと定義する）書籍を形成するために、枚用紙または折丁は、通常、書籍の枚用紙が所望の順番に並べられるように丁調べされ、すなわち集められる。米国特許明細書第４９８８０８６号には、例えば、枚葉紙素材を集めたものを形成する装置および方法が開示されている。枚用紙または折丁は連続して移動する集積具、すなわちポケットの上に積み重ねられ、１つずつポケット内に落とされる。ポケットの底は、集積されているが綴じられていない書籍を放すために開くことができる。
【０００３】
書籍を製本用に準備するために、書籍の背は下端が揃うように形成される。背は、フラットバックの背を形成する場合、平らである。個々の枚用紙ではなく折丁を丁調べする場合、本の背は、通常、各折丁内の個々の枚用紙が背のところに現れるように切断される。
【０００４】
米国特許明細書第４９２５３５４号および第４５５５６３５３号には、接着剤を書籍の背に塗る方法が開示されている。書籍はその背を露出させるようにクランプによって上端部から把まれる。書籍の背は幅よりも長い長さを有し、平らである。背が背の長さ方向に平行に移動する時、接着剤がローラまたは塗布べらによって塗られる。
【０００５】
【発明が解決しようとする課題】
上記の特許は、書籍を丁調べし、揃え、綴じ込むために幾つかの独立した装置が必要であるという欠点を有している。その上、書籍を丁調べ機械、揃え機械、およびクランプの間で搬送する必要がある。各搬送部によって、端部の歪みや不揃いのような故障、すなわち品質の低下の可能性が増える。
【０００６】
そのうえ、上述の装置を用いて１冊の書籍におけるさまざまなサイズの折丁を横方向に揃えることは不可能である。
【０００７】
本発明の目的は、背に対して垂直に搬送される、書籍の背を準備する方法および装置を提供することにある。また、他の、または追加の、本発明の目的は、集積された各折丁を横方向に個々に揃えることにある。さらに他の、または追加の、本発明の目的は、書籍の背をより効率的に綴じ込むことにある。
【０００８】
ここで参照することによって本明細書に取り入れられる、本出願人の、２０００年３月１２日に出願した米国特許明細書第０９／５７０，２０１号においては、先行技術の問題点の幾つかを、背に対して垂直にポケット内に搬送された本を２つの独立したクランプ機械によって把む構成を設けることによって扱った。この明細書では、折丁を個々に横に揃えることは扱っていない。
【０００９】
【課題を解決するための手段】
本発明は、書籍の背を準備する方法であって、複数の印刷物を背を有する書籍を形成するようにポケット内に背止めに当接させて供給することと、書籍を背に対して垂直に搬送することを含む方法を提供する。単一のパッカーが書籍を束ねるのに用いることができる。その後、パッカーは書籍を放す。ポケットの背部と背止めが、背の露出部を定めるためにパッカーに対して下げられる。その後、パッカーは背の露出部を維持するために再び書籍に接触する。
【００１０】
その後、背止めは書籍の背から離れ、パッカーは背の角度を変えるためにピボット運動させられる。その後、背を処理、例えば切断してもよい。
【００１１】
本明細書に記載する「折丁」は、１枚１枚の枚用紙および／または複数の枚用紙からなる折丁を含んでもよい。ピボット運動は、折丁の下部をピボット運動可能なクランプとパッカーの間にしっかりと固定し、両者をそれぞれピボット軸の周りに回転させることによって行うのが好ましい。
【００１２】
処理後、書籍の背はホームポジションに戻してもよい。その後、例えば、裏返したブックカバーを掛けることができ、前述の工程が背をブックカバーと共に接着用に準備するために繰り返される。
【００１３】
パッカーは、裏返されたブックカバーを備える書籍を引き渡すために開かれ、書籍は重力によってコンベアに落としてもよく、またはくわえづめコンベアによって取り去ってもよい。
【００１４】
折丁をポケットに入れる時、入ってくる折丁はその前に丁調べされた折丁から離して保持し、横方向に揃えるのが好ましい。入ってくる折丁が背止めに当接して横方向の適切な位置にくると、入ってくる折丁はその前に丁調べされた折丁に接するように置いてもよい。
【００１５】
本発明は、折丁を背止めに当接させて集積する方法であって、少なくとも１つの第１の折丁を丁調べされた書籍を形成するために所定の向きのトレイと背止めに当接させて置くようにポケット内に入れるステップと、少なくとも１つの第２の折丁をポケット内に入れるステップとを有し、第２の折丁は上部で第１の折丁から離し、背止めのところで第１の折丁と接触させて保持する方法も提供する。
【００１６】
第２の折丁を上部で第１の折丁から離して保持することによって、より良好に揃えることができる。
【００１７】
揃えジョガーは、入ってくる個々の折丁を横方向に動かすことができるように構成することが好ましい。これによって、さまざまなサイズの印刷物を横方向に適切に揃えることができる。
【００１８】
本発明は、多数のポケットを有し、各ポケットは所定の向きの背部を有する、書籍の背を準備する装置を含む。各ポケットは背を受け取るパッカーと背止めもポケットの下端に有し、背止めは、可変であってもよい第１の集積位置と第２の位置を有し、背止めは集積位置においてパッカーよりも低い位置にある。第２の位置における背の平面は第１の位置における背の平面に平行である。また、背止めは第３の位置において背から回転して離れる。
【００１９】
パッカーは背部の下方でクランプと協働して動作するのが好ましい。パッカーは印刷物の下部をクランプに当接させて保持する。
【００２０】
パッカーの作動レバーを、束ねる動作と、書籍の背を回転させる時によりきつく締め付ける動作を行うために設けることが好ましい。
【００２１】
背止め用の掛け金を、掛け金付きのトレイレバーとして設けてもよい。クランプローラとトレイ高さローラも設けてもよい。
【００２２】
新たな印刷物を受け取る時、背部と背止めは鉛直平面と所定の角度をなすことが好ましい。
【００２３】
複数のポケットは、少なくとも１つのシャッターブレードを、入ってくる折丁を既に集積された折丁から離しておくためにそれぞれ含むのが好ましい。その後、シャッターブレードは、入ってくる折丁を集積された折丁に完全に接触させるために、例えば回転させることによって引っ込めてもよい。シャッターブレードは鉛直方向の案内路に折丁の下端部が背止めに当接するまでこのように供給することを可能にする。折丁はその比較的短い底部が所定の向きを向き、比較的長い上部が一方の側面で鉛直方向のガイドによって、もう一方の側面でシャッターブレードによって拘束された位置に保持される。背の方向に正確に沿う曲がった部分が折丁の中央に形成される。揃えジョガーのジョガーパドルによって折丁を折丁の鉛直方向の部分の直ぐ上の部分で、折丁を適切に揃えるために、その背の方向に沿って動かすように押すことができる。その後、パッカーを全ての折丁の下端部に向かって閉じることができ、シャッターブレードは、折丁をその前に集積された折丁に当接させることができるように鉛直方向の経路の外へピボット運動させてもよい。
【００２４】
このようにして、各折丁は、たとえさまざまなサイズの印刷物を有していても、横方向に所望の位置に配置することができる。
【００２５】
掛け金、レバー、およびローラ、そしてポケットの部品のどの動きもカムの作用によって動かしてもよい。
【００２６】
本明細書に記載する「書籍」は、どのような種類の枚用紙や折丁を集めたものも含んでいてよく、カバーの掛けられた印刷物、パンフレット、および雑誌を含むが、これらに限定されない。
【００２７】
【発明の実施の形態】
図１は本発明による、書籍を形成する装置１の側面図である。折丁の積み重ね２が、方向６に動く複数の編集器５上に載っている。各編集器５は、ベルト７の上端部が編集器５の方向６への速さとほぼ同じ速さを有するように反時計回りに動くベルト７を有している。したがって折丁の積み重ね２は、編集器５が方向６へ移動する時、相対的に速度が０になり、図１に示されている位置にとどまる。
【００２８】
各編集器５は、ピボット運動可能な吸着器９、例えばピボット軸の周りにピボット運動可能な真空吸い口も有している。
【００２９】
編集器５が積み重ね２の下を移動する時、編集器５の吸着器９によって折丁の積み重ね２の底の折丁が下方向へ編集器５の間を通過するように引かれる。また、編集器５のキャリパローラ１３、すなわちばね付きローラが（シャフトがばねの力に抗して回転することによって）、折丁の前端がキャリパローラ１３とドライブローラ１２の間に入ることができるように開く。
【００３０】
折丁は、編集器５に沿って方向６に移動する複数のポケット２０のうちの１つに入る。また、ポケット２０はジョガーパドル２２、シャッターブレード２３、および背部２４を備える揃えジョガー２１を有している。背部２４は、入ってくる折丁の底端を順に支える背止め２６を支持しているピボット支持部２５に固定されている。背止め２６は、鉛直方向から３０度ずれているのが好ましい背部２４に直角な面を形成している。
【００３１】
折丁の下端部は、後述するように、クランプ２７とパッカー２８の間に挟むことができる。クランプ２７とパッカー２８は、通常、同じような高さにとどまっている。また、カムで駆動されるトレイレバー２９によって、背部２４と背止め２６をクランプ２７とパッカー２８に対して下げることができる。
【００３２】
図５および図６に示されているように、背止め２６は、連続した隙間がコーナーに生じないように、クランプ２７とパッカー２８の下端面の切り込みに交互に差し込まれた一連の指状部を有している。
【００３３】
編集器５とポケット２０は、例えば輪状の無端軌道に沿って移動するフレームに片側または両側で取り付けられていてもよい。
【００３４】
図２は、図１の位置Ａに示されているように、積み重ね２から折丁を受け取る通常の位置、すなわち供給ホームポジションにある、ポケット２０の１つを示している。背部２４は、ピボット軸１２５が支持されている支持部１２４上に支持されている。背止め２６はピボット軸１２５に接続されており、したがって、図４に示されているように、また図１の位置Ｅに示されているように、ばね付きの掛け金１２６が外された時に下方向に回転可能である。
【００３５】
クランプ２７とパッカー２８はポケット２０のフレームに支持されている。クランプ２７は図２と図３に示されている第１の位置と、図４と図１の位置Ｅに示されているように下方向に回転した第２の位置を有している。パッカー２８は図１の位置Ａに示されている、折丁を受け取る開位置と、図１の位置Ｂに示されている、折丁をクランプ２７に当接させて束ねる閉位置と、図１の位置Ｅおよび図４に示されている、回転した位置を有している。
【００３６】
図１の領域Ａおよび図６に示されているように、ジョガーパドル２２を有する揃えジョガー２１は、シャッターブレード２３が折丁の上端部を、上端部がほぼ鉛直方向の位置を保つように支持した状態でパッカー２８が開いている間、入ってくる各折丁に作用することができる。ジョガーパドル２２は、折丁の鉛直方向上方の部分における曲がった部分の直ぐ上で、折丁を横方向に移動させるように折丁を押すことが可能である。一旦適切な横方向の揃えが行われると、パッカー２８は図１の領域Ｂに示されているように、揃えを維持するために閉じることが可能である。その後、図６に示されているように、シャッターブレード２３は、カムローラ２２３に作用するカムを用いてピボット軸１２３の周りにピボット運動させることができる。図１に示されているように、入ってくる折丁の上部は、適切に揃えられた書籍が形成されるように、既に集積された折丁に加わる。
【００３７】
一旦、書籍が適切に形成されると、背は処理用に準備するためにトレイを落とす動作で露出される。図１の領域Ｃおよび図３に示されているように、パッカー２８が開き、背部２４と背止め２６は、パッカー２７とクランプ２８の下方に背の一部を露出させるように、フレームとクランプ２７とパッカー２８に対して落ちる。落とす動作は、図２および図３に示されているように、トレイの掛け金１２６を掛け金レバー１２８によって外すことにより起こる。露出部の大きさは、トレイレバー２９を、したがって背部２４と背止め２６の高さを調節するローラ１２９（図２および図３参照）と相互に作用するカムを調節することによって変えることができる。
【００３８】
パッカー２８は、その後、露出部を動かないようにするために書籍上に閉じられ、背止め２６は、図２に示されている、背止め２６の掛け金１２６を外すことによって下方向にピボット運動させられる。背部２４はその底の位置、すなわち最も低い位置に落とされる。クランプ２７は、書籍の下部を鉛直方向に向け、背を切り落とすために水平にするように、カムレールと相互に作用するローラ１３１（図５参照）によってピボット運動させられる。カムの作用はクランプトーションばね１３４の力に抗して働く。同時に、パッカー２８のローラが、対置するカムと相互に作用し、それによってパッカー組み立て体上のばね１３２が圧縮され、このようにしてパッカー２８は、書籍をクランプ２７に当接させて保持する保持力をより大きく出すことができる。パッカー作動レバー１３０は、図５に示されているように、パッカー作動レバー１３０が（図示されているように）押し下げられた時にパッカー２８を動作させるのに用いられ、上げられた時にばね１３２を圧縮する。ポケット２０上への大きな反作用の力は、ばねとカムの相互の作用によって避けられる。その後、図１の領域Ｅに示されているように、書籍の背は、処理をする、本実施形態では背を切断する準備ができた状態になる。背部２４（したがって書籍）およびのこぎりの高さによって切断位置を決めることができる。
【００３９】
切断後、背は、ステップＦに示されているように、固定された一組のカムによってそのホームポジションへ戻される。背止め２６は閉じられ、背止め２６が書籍の背と接触するまで背部２４と共に持ち上げられる。パッカー２７は開かれ、背部２４と背止め２６は、掛け金レバー１２８と掛け金１２６が背部２４と背止め２６に適切に掛かるホームポジション、すなわち完全に上げられた位置に位置する。
【００４０】
その後、カバーを図１の位置Ｆにおいて書籍に掛けることができる。トレイを落とす動作は、ステップＧに示されているように、形を整えられた背と形を整えられていないカバーを書籍の底部で露出させるために繰り返される。その後、接着剤を、ポケット２０の下方で回転し、つり合った速度で接線で接触する糊付けローラによって背の表面に載せることが可能である。裏返しのカバーを有する書籍は、パッカー２８とクランプ２７を背部２４に平行に戻し、書籍を、ステップＨに示されているように、パッカー２８からくわえづめコンベアまたはくわえづめベルトのような搬送装置の保管部に落とすようにパッカーカムを開くことによって、引き渡される。
【００４１】
その後、ポケット２０の構成部材は背止め２６をピボット運動させ、背部２４と背止め２６を、それらが掛け金を掛けられる上方位置まで持ち上げることによってホームポジションに戻される。
【００４２】
複数の積み重ね２は、通常、移動している編集器５と書籍を形成するポケット２０の上方に置かれることが分かっている。折丁は、底部が開いたホッパー状の構造によって静止位置を維持するようにしてもよい。パッカーは、本明細書では枚用紙を接触させるどのような装置であってもよい。ポケット２０のさまざまな部分の全ての動作は、静止したカムによって行われてもよい。
【図面の簡単な説明】
【図１】本発明による、書籍の背を形成する装置の側面図である。
【図２】図１のポケットの、集積位置における詳細な部分側面図である。
【図３】書籍の背の露出部が形成される第２の位置における、図２のポケットを示す図である。
【図４】書籍の背が四角にされる第３の位置における、図２のポケットを示す図である。
【図５】図２のポケットの斜視図である。
【図６】図２のポケットの斜視図であり、ジョガーと、シャッターブレードも示している。
【符号の説明】
１      書籍を形成する装置
２      積み重ね
５      編集器
７      ベルト
９      吸着器
１２    ドライブローラ
１３    キャリパローラ
２０    ポケット
２１    揃えジョガー
２２    ジョガーパドル
２３    シャッターブレード
２４    背部
２５    ピボット支持部
２６    背止め
２７    クランプ
２８    パッカー
２９    トレイレバー
１２５    ピボット軸
１２６    掛け金
１２８    掛け金レバー
１２９，１３１    ローラ
１３０    パッカー作動レバー
１３２    ばね
１３４    クランプトーションばね
【図１】
0004280454.tif 000002
【図２】
0004280454.tif 000003
【図３】
0004280454.tif 000004
【図４】
0004280454.tif 000005
【図５】
0004280454.tif 000006
【図６】
0004280454.tif 000007